【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
光信号の波長を制御する波長制御装置であって、
所定波長の光を出力する半導体レーザと、
入力される制御信号に応じて前記半導体レーザの波長を制御する波長制御部と、
周期性を有する周期信号を発生する周期信号源と、
前記周期信号と所定のバイアス値を重畳した電流信号で前記半導体レーザを駆動する電流源と、
前記周期信号の極性を反転させる極性反転部と、
前記極性反転部から出力された信号とデータとを多重する多重部と、
前記多重部から出力された信号により前記半導体レーザから出力される光を強度変調する強度変調部と、
前記強度変調部から出力される光信号を波長に応じた透過率で透過する光フィルタ手段と、
前記光フィルタ手段を透過した光信号を電気信号に変換する光電気変換部と、
前記光電気変換部より出力される電気信号から前記周期信号と同じ周期を有する信号を抽出し、当該抽出された前記周期信号と同じ周期を有する信号に基づき制御信号を前記波長制御部に送る制御信号検出部とを備える波長制御装置。
【請求項２】
前記強度変調部の出力光において、前記周期信号による強度変調成分と、前記極性反転部から出力された信号による強度変調成分とが互いに打ち消されるよう、前記半導体レーザおよび前記強度変調部の変調度が設定されていることを特徴とする、請求項１記載の波長制御装置。
【請求項３】
前記フィルタ手段が、波長多重された光信号を波長分離または抽出する波長分離部であることを特徴とする、請求項２記載の波長制御装置。
【請求項４】
前記半導体レーザと、前記波長制御部と、前記周期信号源と、前記電流源と、前記極性反転部と、前記多重部と、前記強度変調部と、前記制御信号検出部とをそれぞれ複数組備え、
前記フィルタ手段が、それぞれ所定の波長の光信号のみを透過する複数の入力端子と１つの出力端子とを有し、各前記入力端子より入力される、前記複数の強度変調部から出力された互いに波長の異なる光信号を波長多重して前記出力端子から出力する波長多重部であり、
前記複数の周期信号源が出力する周期信号の周波数は互いに異なり、
前記複数の制御信号検出部は、それぞれ対応する前記周期信号源から出力される周期信号と同じ周期を有する信号のみを抽出することを特徴とする、請求項２記載の波長制御装置。
【請求項５】
前記制御信号検出部は、
前記周期信号と同じ周期を有する信号の振幅を検出する振幅検出部と、
前記周期信号と同じ周期を有する信号の位相を検出する位相検出部とを含み、
前記制御信号検出部は、前記振幅検出部によって検出された振幅と前記位相検出部によって検出された位相とを前記制御信号として出力し、
前記波長制御部は、前記位相に応じて前記半導体レーザの出力波長の制御方向を決定し、前記振幅が０となるように波長の制御量を決定することを特徴とする、請求項２記載の波長制御装置。
【請求項６】
前記周期信号源から出力される周期信号を分周してパイロット信号を出力するパイロット信号源をさらに備え、
前記多重部は、前記極性反転部から出力された信号およびデータに加えて前記パイロット信号を多重し、
前記制御信号検出部は、
前記光電気変換部から出力された電気信号から周期信号と同じ周期を有する信号を抽出する第１のバンドパスフィルタと、
前記電気信号からパイロット信号と同じ周期を有する信号を抽出する第２のバンドパスフィルタと、
前記第２のバンドパスフィルタから出力されたパイロット信号と同じ周期を有する信号を逓倍する周波数逓倍部と、
前記第１のバンドパスフィルタから出力された周期信号と同じ周期を有する信号と前記周波数逓倍部から出力されたパイロット信号と同じ周期を有する信号とを乗算する乗算部と、
前記乗算部から出力された信号の直流レベルを抽出し、制御信号として出力するローパスフィルタとを含み、
前記波長制御部は、前記ローパスフィルタから出力される直流レベルが０となるように前記半導体レーザの波長を制御することを特徴とする、請求項２記載の波長制御装置。
【請求項７】
前記強度変調部の出力光において、前記周期信号による強度変調成分と、前記極性反転部の出力信号による強度変調成分とが一部だけ打ち消しあうように、前記半導体レーザおよび前記強度変調部の変調度が設定され、
前記制御信号検出部で検出される前記周期信号と同じ周期を有する信号の振幅が所定値となるように前記半導体レーザの出力波長を制御することを特徴とする、請求項１記載の波長制御装置。
【請求項８】
前記周期信号が正弦波信号であることを特徴とする、請求項１から請求項７のうちのいずれか一つに記載の波長制御装置。
【請求項９】
前記波長制御部は、前記半導体レーザの温度を制御することを特徴とする、請求項１記載の波長制御装置。
【請求項１０】
光信号の波長を制御する波長制御方法であって、
所定の周期信号によって光信号の波長を変調し、
変調された光信号を光フィルタで抽出し、
抽出された光信号を光電気変換し、
光電気変換された信号から前記周期信号と同じ周期を有する信号を抽出し、
前記抽出された周期信号と同じ周期を有する信号の振幅及び位相が所定値となるように光信号の中心波長を制御する波長制御方法。
【請求項１１】
波長の異なる光信号を波長分割多重技術を用いて伝送する波長分割多重伝送システムであって、
所定波長の光を出力する半導体レーザと、
入力される制御信号に応じて前記半導体レーザの波長を制御する波長制御部と、
周期性を有する周期信号を発生する周期信号源と、
前記周期信号と所定のバイアス値を重畳した電流信号で前記半導体レーザを駆動する電流源と、
前記周期信号の極性を反転させる極性反転部と、
前記極性反転部から出力された信号とデータとを多重する多重部と、
前記多重部から出力された信号により前記半導体レーザから出力される光を強度変調する強度変調部と、
前記強度変調部から出力された光信号を、該光信号とは波長の異なる他の光信号と合波する波長多重部と、
前記波長多重部で合波された光信号を伝播させる光伝送路と、
前記光伝送路中を伝播した光信号の中から前記強度変調部から出力された光信号を分離する波長分離部と、
前記波長多重部または前記波長分離部の透過特性に応じて抽出された光信号を電気信号に変換する光電気変換部と、
前記光電気変換部より出力される電気信号から前記周期信号と同じ周期を有する信号を抽出し、当該抽出された前記周期信号と同じ周期を有する信号に基づき制御信号を前記波長制御部に送る制御信号検出部とを備える波長分割多重伝送システム。
【請求項１２】
波長の異なる光信号を波長分割多重技術を用いて伝送する波長分割多重伝送システムに用いられる光送信装置であって、
所定波長の光を出力する半導体レーザと、
入力される制御信号に応じて前記半導体レーザの波長を制御する波長制御部と、
周期性を有する周期信号を発生する周期信号源と、
前記周期信号と所定のバイアス値を重畳した電流信号で前記半導体レーザを駆動する電流源と、
前記周期信号の極性を反転させる極性反転部と、
前記極性反転部から出力された信号とデータとを多重する多重部と、
前記多重部から出力された信号により前記半導体レーザから出力される光を強度変調する強度変調部と、
前記強度変調部から出力された光信号を、該光信号とは波長の異なる他の光信号と合波する波長多重部とを備える光送信装置。
【請求項１３】
波長の異なる光信号を波長分割多重技術を用いて伝送するための光送信装置であって、
所定波長の光を出力する半導体レーザと、
入力される制御信号に応じて前記半導体レーザの波長を制御する波長制御部と、
周期性を有する周期信号を発生する周期信号源と、
前記周期信号と所定のバイアス値を重畳した電流信号で前記半導体レーザを駆動する電流源と、
前記周期信号の極性を反転させる極性反転部と、
前記極性反転部から出力された信号とデータとを多重する多重部と、
前記多重部から出力された信号により前記半導体レーザから出力される光を強度変調する強度変調部と、
前記強度変調部から出力される光信号を波長に応じた透過率で透過する光フィルタ手段と、
前記光フィルタ手段を透過した光信号を電気信号に変換する光電気変換部と、
前記光電気変換部より出力される電気信号から前記周期信号と同じ周期を有する信号を抽出し、当該抽出された前記周期信号と同じ周期を有する信号に基づき制御信号を前記波長制御部に送る制御信号検出部とをそれぞれ複数組備え、
前記フィルタ手段が、それぞれ所定の波長の光信号のみを透過する複数の入力端子と１つの出力端子とを有し、各前記入力端子より入力される、前記複数の強度変調部から出力された互いに波長の異なる光信号を波長多重して前記出力端子から出力する波長多重部であり、
前記複数の周期信号源が出力する周期信号の周波数は互いに異なり、
前記複数の制御信号検出部は、それぞれ対応する前記周期信号源から出力される周期信号と同じ周期を有する信号のみを抽出する光送信装置。